(57)【要約】【課題】ユーザによって異なるアプリケーションをインストールしている場合であっても、スムーズなメッセージの送受信を行うこと。【解決手段】端末装置２Ａに、複数のアプリケーションのいずれかによって受信したメッセージを取得し、かつ、メッセージを前記複数のアプリケーションのいずれかによって送信させることが可能なインターフェース部と、前記受信したメッセージを記憶部に記憶させるメッセージ処理部と、ユーザごとに利用可能なアプリケーションを記憶するアプリケーションテーブルと、メッセージを作成するメッセージ作成部と、前記アプリケーションテーブルに基づいて、メッセージの送信に用いるアプリケーションを選択するアプリケーション選択部とを備える。【選択図】図１
2017182614.tif 000002
【特許請求の範囲】
【請求項１】
複数のアプリケーションのいずれかによって受信したメッセージを取得し、かつ、メッセージを前記複数のアプリケーションのいずれかによって送信させることが可能なインターフェース部と、
前記受信したメッセージを記憶部に記憶させるメッセージ処理部と、
ユーザごとに利用可能なアプリケーションを記憶するアプリケーションテーブルと、
メッセージを作成するメッセージ作成部と、
前記アプリケーションテーブルに基づいて、メッセージの送信に用いるアプリケーションを選択するアプリケーション選択部と、を備える、
ことを特徴とする通信装置。
【請求項２】
コンピュータを備える通信装置のプログラムであって、
前記コンピュータを、
複数のアプリケーションのいずれかによって受信したメッセージを取得し、かつ、メッセージを前記複数のアプリケーションのいずれかによって送信させることが可能なインターフェース部と、
前記受信したメッセージを記憶部に記憶させるメッセージ処理部と、
ユーザごとに利用可能なアプリケーションを記憶するアプリケーションテーブルと、
メッセージを作成するメッセージ作成部と、
前記アプリケーションテーブルに基づいて、メッセージの送信に用いるアプリケーションを選択するアプリケーション選択部として機能させる、
ことを特徴とする通信装置のプログラム。
【発明の詳細な説明】
【技術分野】
【０００１】
本発明は、通信装置及び通信装置のプログラムに関する。
【背景技術】
【０００２】
スマートフォン等の携帯機器、あるいは、パーソナルコンピュータ等の電子機器を用いてメッセージの送受信を行う方法としては、電子メールの他、ショートメッセージ（ＳＭＳ）、ＬＩＮＥ（登録商標）、Ｆａｃｅｂｏｏｋ（登録商標）のメッセンジャー、Ｔｗｉｔｔｅｒ（登録商標）等、様々なアプリケーションを用いる方法がある（例えば特許文献１参照）。
【先行技術文献】
【特許文献】
【０００３】
【特許文献１】特開２００７−２１４９６４号公報
【発明の概要】
【発明が解決しようとする課題】
【０００４】
上述のようなアプリケーションを用いてメッセージの送受信を行うためには、それぞれのユーザが同じアプリケーションをスマートフォン等にインストールしておく必要がある。しかしながら、ユーザによっては特定のアプリケーションをインストールしていないことがあり、スムーズなメッセージの送受信を行うことができないことがあった。
【０００５】
本発明は上述した事情に鑑みてなされたものであり、ユーザによって異なるアプリケーションをインストールしている場合であっても、スムーズなメッセージの送受信を行うことができる通信装置および通信装置のプログラムを提供することである。
【課題を解決するための手段】
【０００６】
上記目的を達成するために、本発明の一態様に係る通信装置は、複数のアプリケーションのいずれかによって受信したメッセージを取得し、かつ、メッセージを前記複数のアプリケーションのいずれかによって送信させることが可能なインターフェース部と、前記受信したメッセージを記憶部に記憶させるメッセージ処理部と、ユーザごとに利用可能なアプリケーションを記憶するアプリケーションテーブルと、メッセージを作成するメッセージ作成部と、前記アプリケーションテーブルに基づいて、メッセージの送信に用いるアプリケーションを選択するアプリケーション選択部と、を備える、ことを特徴とする。
【０００７】
この態様によれば、インターフェース部によって、複数のアプリケーションのいずれかによって受信したメッセージを取得すると、メッセージ処理部は、受信したメッセージを記憶部に記憶させる。例えば、ユーザが、受信したメッセージに対する返信メッセージを送信する場合には、ユーザは、返信メッセージをメッセージ作成部により作成する。そして、ユーザは、アプリケーション選択部により、アプリケーションテーブルに基づいて、メッセージの送信に用いるアプリケーションを選択する。その結果、前記作成したメッセージは、インターフェース部により、前記選択したアプリケーションによって送信されることになる。したがって、複数のユーザから、異なるアプリケーションを介してメッセージを受信した場合でも、それぞれのアプリケーションを立ち上げることなく、一括して返信を行うことができる。
【０００８】
上記目的を達成するために、本発明の一態様に係る通信装置のプログラムは、コンピュータを備える通信装置のプログラムであって、前記コンピュータを、複数のアプリケーションのいずれかによって受信したメッセージを取得し、かつ、メッセージを前記複数のアプリケーションのいずれかによって送信させることが可能なインターフェース部と、前記受信したメッセージを記憶部に記憶させるメッセージ処理部と、ユーザごとに利用可能なアプリケーションを記憶するアプリケーションテーブルと、メッセージを作成するメッセージ作成部と、前記アプリケーションテーブルに基づいて、メッセージの送信に用いるアプリケーションを選択するアプリケーション選択部として機能させる、ことを特徴とする。
【図面の簡単な説明】
【０００９】
【図１】本発明の第１実施形態に係る通信システムの構成を示す斜視図である。
【図２】第１実施形態において本発明の通信アプリケーションプログラムによる機能ブロックを示す図である。
【図３】第１実施形態における本発明の通信アプリケーションプログラムと、他のアプリケーションプログラムとの関係を示す図である。
【図４】第１実施形態における本発明の通信アプリケーションプログラムを起動させた場合の表示画面の一例を示す図である。
【図５】第１実施形態におけるユーザテーブルＴＢＬ１の一例を示す図である。
【図６】第１実施形態における通信アプリケーションプログラムの動作の一例を示すフローチャートである。
【図７】第１実施形態におけるメッセージテーブルＴＢＬ２の一例を示す図である。
【図８】第２実施形態における本発明の通信アプリケーションプログラムを起動させた場合の表示画面の一例を示す図である。
【発明を実施するための形態】
【００１０】
＜第１実施形態＞
図１は、本発明の第１実施形態に係る通信システム１００の概要を示す図である。この通信システム１００は、インターネットなどの通信網ＮＥＴを介して、複数の端末装置２（２Ａ，２Ｂ，２Ｃ，２Ｄ）と、複数の外部記憶装置３（３Ａ，３Ｂ，３Ｃ）が通信可能に接続されている。本実施形態においては、後述する通信アプリケーションをインストールしている端末装置２がハブとなって他の端末装置２との通信を行う。以下の説明では、一例として、端末装置２Ａがハブとなる場合について説明する。
【００１１】
端末装置２（２Ａ，２Ｂ，２Ｃ，２Ｄ）としては、例えばスマートフォンやタブレット等の携帯端末装置が挙げられる。端末装置２として、パーソナルコンピュータ等の電子機器を用いてもよい。端末装置２は、入力部２１と、通信部２２と、表示部２３と、制御部２４と、記憶部２５とを備えている。入力部２１としては、例えば、キーボード、タッチパッド及びポインティングデバイス（マウス、トラッキングボール等）が挙げられる。通信部２２としては、例えば、各種有線及び無線インターフェース装置が挙げられる。表示部２３としては、例えば、液晶ディスプレイや有機ＥＬディスプレイ等の各種ディスプレイが挙げられる。制御部２４としては、ＣＰＵ（Ｃｅｎｔｒａｌ  Ｐｒｏｃｅｓｓｉｎｇ  Ｕｎｉｔ）が挙げられる。記憶部２５としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。
【００１２】
端末装置２には、各種のアプリケーションプログラムがインストール可能になっている。一例として、端末装置２Ａ，２Ｂ，２Ｃには、本発明の通信アプリケーションプログラム、ＬＩＮＥ（登録商標）、Ｆａｃｅｂｏｏｋ（登録商標）のメッセンジャーアプリケーション、Ｔｗｉｔｔｅｒ（登録商標）等のアプリケーションプログラムがインストールされているものとする。また、この他にも、電子メール及びショートメッセージ（ＳＭＳ）のアプリケーションプログラムがインストールされているものとする。また、端末装置２Ｄにも同様のアプリケーションプログラムがインストールされているが、本発明の通信アプリケーションプログラムはインストールされていないものとする。
【００１３】
図２は、端末装置２Ａに本発明の通信アプリケーションプログラムをインストールし、当該通信アプリケーションプログラムを起動させた場合の機能ブロックを示している。端末装置２Ａは、インターフェース部２００、メッセージ処理部２０１、メッセージ作成部２０２、及びアプリケーション選択部２０３として機能する。また、通信アプリケーションプログラムは、記憶部２５にユーザテーブルＴＢＬ１を作成し、外部記憶装置３ＡにメッセージＴＢＬ２を作成する。端末装置２Ｂ，２Ｃにおいて本発明の通信アプリケーションプログラムをインストールし、当該通信アプリケーションプログラムを起動させた場合も同様とする。
【００１４】
図１に示すように、端末装置２Ａは、通信網ＮＥＴを介して通信可能な外部記憶装置３Ａが接続されており、端末装置２Ａにおいて本発明の通信アプリケーションプログラムを起動させた場合には、読み取ったメッセージ等を外部記憶装置３Ａに記憶させる。詳しくは後述する。また、端末装置２Ｂは、通信網ＮＥＴを介して通信可能な外部記憶装置３Ｂが接続されており、端末装置２Ｂにおいて本発明の通信アプリケーションプログラムを起動させた場合には、読み取ったメッセージ等を外部記憶装置３Ｂに記憶させる。同様に、端末装置２Ｃは、通信網ＮＥＴを介して通信可能な外部記憶装置３Ｃが接続されており、端末装置２Ｃにおいて本発明の通信アプリケーションプログラムを起動させた場合には、読み取ったメッセージ等を外部記憶装置３Ｃに記憶させる。
【００１５】
本発明の通信アプリケーションプログラム４０は、例えば、ＡＰＩ（Application Programming Interface）を用いることにより、図３に示すように、電子メールのアプリケーションプログラム４１、ＬＩＮＥ（登録商標）４２、Ｔｗｉｔｔｅｒ（登録商標）４３、Ｆａｃｅｂｏｏｋ（登録商標）のメッセンジャーアプリケーション４４において受信したメッセージを取得することができる。また、本発明の通信アプリケーションプログラム４０は、本発明の通信アプリケーションプログラム４０において作成したメッセージを、ＡＰＩを用いることにより、図３に示すように、電子メールのアプリケーションプログラム４１、ＬＩＮＥ（登録商標）４２、Ｔｗｉｔｔｅｒ（登録商標）４３、Ｆａｃｅｂｏｏｋ（登録商標）のメッセンジャーアプリケーション４４において送信させることができる。また、端末装置２Ａに通信アプリケーションプログラム４０がインストールされており、端末装置２Ｂにも通信アプリケーションプログラム４０がインストールされている場合には、通信アプリケーションプログラム４０間での通信が可能になっている。
【００１６】
通信アプリケーションプログラム４０によって、電子メールのアプリケーションプログラム４１等からメッセージを受信し、電子メールのアプリケーションプログラム４１等にメッセージを送信させるためには、ユーザの代わりに、通信アプリケーションプログラム４０が電子メールのアプリケーションプログラム４１等にアクセスする権限の移譲の処理を行う必要がある。本実施形態においては、ＯＡｕｔｈの仕組みを利用して権限の移譲の処理を行っている。ＯＡｕｔｈでは、ユーザから移譲された権限の範囲を特定するための情報をトークンと呼ばれるデータ形式で表現する。電子メールのアプリケーションプログラム４１等と共に電子メール等の通信サービスを提供するサーバは、トークンに基づいて特定される権限範囲で通信アプリケーションプログラム４０からのアクセスを許す。
【００１７】
なお、本実施形態においては、本発明の通信アプリケーションプログラム４０を含め、一旦起動したアプリケーションプログラムは、バックグラウンドでログイン状態を保っているものとする。
【００１８】
また、本実施形態において「メッセージ」とは、文章などの文字データだけでなく、絵、写真、または動画のような画像データや、音声のようなサウンドデータ、さらには、特定の文字列に対応した絵文字も含むものとする。
【００１９】
図４は、本発明の通信アプリケーションプログラム４０を起動させた場合の表示画面の一例を示す図である。図４に示すように、通信アプリケーションプログラム４０の表示画面には、各アプリケーションを選択するためのアイコン５０〜５４が表示される。例えば、アイコン５０は電子メール、アイコン５１はＬＩＮＥ、アイコン５２はＴｗｉｔｔｅｒ、アイコン５３はＦａｃｅｂｏｏｋ、アイコン５４は本発明の通信アプリケーションプログラムをそれぞれ選択するためのアイコンである。
【００２０】
アイコン５０〜５４の下方には、メッセージ表示欄が設けられている。メッセージ表示欄には、メッセージの送信者のアイコン５５、メッセージの送信者の名前５６、送信者のメッセージ表示欄５７、メッセージの送信日時および使用したアプリケーション名５８、メッセージ作成欄５９が表示される。メッセージ表示欄の下方には、送信ボタン６０が表示される。
【００２１】
図５は、本実施形態におけるユーザテーブルＴＢＬ１の一例を示す図である。ユーザテーブルＴＢＬ１には、ユーザＩＤごとに、どのアプリケーションが利用可能かどうかがフラグを用いて記録されている。ユーザＩＤは、例えば、端末装置２Ａのユーザの電話帳に記録されているユーザ、あるいは、端末装置２Ａのユーザが利用しているＬＩＮＥ、Ｔｗｉｔｔｅｒ、Ｆａｃｅｂｏｏｋ等における友達に対して割り当てられる。ユーザＩＤの割り当ては、友達リスト等を用いて通信アプリケーションプログラムの機能を用いて行ってもよいし、ユーザが手動で設定するようにしてもよい。
【００２２】
図５に示すように、ユーザがアプリケーションプログラムを利用できる場合には「１」が記録され、利用できない場合には「０」が記録される。例えば、ユーザＩＤ「０００００１」のユーザは、電子メール、ＬＩＮＥ、Ｔｗｉｔｔｅｒ、Ｆａｃｅｂｏｏｋ、ＳＭＳを利用可能なので、全て「１」が記録されている。一方、ユーザＩＤ「０００００１」のユーザは、ＬＩＮＥ、Ｔｗｉｔｔｅｒを利用していないので、ＬＩＮＥとＴｗｉｔｔｅｒに対応する欄には「０」が記録される。
【００２３】
図６は、本実施形態における通信アプリケーションプログラムの動作の一例を示すフローチャートである。また、図７は、外部記憶装置３Ａに記憶されるメッセージテーブルＴＢＬ２の一例を示す図である。以下、図６および図７を参照して、本実施形態における通信アプリケーションプログラムの動作の一例について説明する。
【００２４】
以下の説明においては、端末装置２Ａにおいて、電子メールのアプリケーションプログラム、ＬＩＮＥ、Ｔｗｉｔｔｅｒ、Ｆａｃｅｂｏｏｋ、ＳＭＳ、および本発明の通信アプリケーションプログラムは、全てログイン状態が維持されているものとする。
【００２５】
例えば、ＬＩＮＥにおいてメッセージを受信した場合には、メッセージの受信があったことがＡＰＩを介して、本発明の通信アプリケーションプログラムに通知される。端末装置２Ａのインターフェース部２００は、ＡＰＩを用いて、ＬＩＮＥにおいて受信したメッセージを取得する（Ｓ１）。
【００２６】
端末装置２Ａのメッセージ処理部２０１は、取得したメッセージを、メッセージテーブルＴＢＬ２に記憶させる（Ｓ２）。メッセージテーブルＴＢＬ２は、図７に示すように、送信者のユーザＩＤと、メッセージの送信に利用したアプリケーションを示すアプリケーションＩＤと、メッセージを受信した日時と、取得メッセージが記憶される。ユーザＩＤは、ユーザテーブルＴＢＬ１におけるユーザＩＤと同一のＩＤが使用される。アプリケーションＩＤは、各アプリケーションに一対一に割り当てられており、例えば、アプリケーションＩＤ「０００Ａ」はＬＩＮＥを示している。
【００２７】
また、メッセージ処理部２０１がメッセージを取得した場合には、例えば通信アプリケーションプログラムのアイコンにバッジを表示することにより、あるいはバナー等に表示することにより、ユーザに報知される。この報知によってメッセージの取得に気づいたユーザは、通信アプリケーションプログラムのアイコンをタップする等して、通信アプリケーションプログラムの画面を端末装置２Ａに表示させる。
【００２８】
この場合、例えば、図４に示すように、送信者のアイコン５５および名前５６と共に、取得したメッセージがメッセージ表示欄５７に表示される。また、メッセージの受信日時と使用されたアプリケーションの名前もアプリケーション名５８に表示される。
【００２９】
端末装置２Ａのユーザが、このメッセージに返信する場合には、メッセージ作成欄５９にメッセージを入力する（Ｓ３）。例えば、メッセージ作成欄５９をタップすることにより、ソフトウェアキーボードが表示され、当該ソフトウェアキーボードを用いてメッセージを入力する。端末装置２Ａのメッセージ作成部２０２は、ソフトウェアキーボードの入力に応じて記憶部２５にメッセージのテキストを記憶させ、メッセージ作成欄５９に当該テキストを表示させる。
【００３０】
次に、例えば、ユーザが送信者のアイコン５５をタップすると、端末装置２Ａのアプリケーション選択部２０３は、ユーザテーブルＴＢＬ１を参照して、当該送信者が利用可能なアプリケーションを確認する。そして、図４の各アプリケーションを選択するためのアイコン５０〜５４のうち、利用可能なアプリケーションをユーザが判別可能なように表示する。例えば、利用できないアプリケーションのアイコンをグレイアウトさせて選択できないようにしてもよい。
【００３１】
例えば、図４の場合には、送信者である「Ａさん」がＬＩＮＥを用いてメッセージを送信しているので、ＬＩＮＥのアイコン５１を選択する。あるいは、「Ａさん」が本発明の通信アプリケーションを利用可能な場合には、アイコン５４を選択する。このようにして、返信メッセージを送信するためのアプリケーションを選択する（Ｓ４）。
【００３２】
そして、ユーザが送信ボタン６０をタップすることにより、インターフェース部２００は、メッセージ作成部２０２によって作成されたメッセージを、ＡＰＩを用いて、例えばＬＩＮＥに送信させる（Ｓ５）。
【００３３】
上述した例では、ＬＩＮＥと本発明の通信アプリケーションとの間でメッセージのやり取りを行う例について説明したが、その他のアプリケーションと本発明の通信アプリケーションとの間でも同様にメッセージのやり取りを行うことができる。また、あるユーザとの間ではＬＩＮＥと本発明の通信アプリケーションを用いてメッセージのやり取りを行い、他のユーザとの間ではＬＩＮＥ以外のアプリケーションと本発明の通信アプリケーションを用いてメッセージのやり取りを行うことも可能である。
【００３４】
このように、本実施形態によれば、相手が使用するアプリケーションの種類が異なる場合であっても、本発明の通信アプリケーションを用いることにより、個々のアプリケーションの画面を表示させることなく、一括してメッセージの処理を行うことが可能である。
【００３５】
＜第２実施形態＞
次に、本発明の第２実施形態について図８を参照しつつ説明する。図８は、端末装置２Ａのユーザが、本発明の通信アプリケーションプログラムを利用して、複数のユーザから異なるアプリケーションを介してメッセージを取得した場合の表示画面の一例を示す図である。
【００３６】
図８は、ユーザ「Ａさん」からＬＩＮＥ経由でメッセージを取得すると共に、ユーザ「Ｂさん」からＦａｃｅｂｏｏｋ経由でメッセージを取得した例を示している。この場合には、ユーザ「Ａさん」に返信する際には、ＬＩＮＥのアイコン５１を選択してメッセージを送信し、ユーザ「Ｂさん」に返信する際にはＦａｃｅｂｏｏｋのアイコン５３を選択してメッセージを送信することができる。さらに、ユーザ「Ａさん」がＦａｃｅｂｏｏｋを利用しておらず、ユーザ「Ｂさん」がＬＩＮＥを利用していない場合でも、端末装置２Ａをハブとして用いて３者でメッセージのやり取りを行うことかできる。例えば、端末装置２Ａのユーザがユーザ「Ａさん」に対して返信する際に、ユーザ「Ｂさん」と端末装置２Ａのユーザとのやり取りを返信メッセージに含め、端末装置２Ａのユーザがユーザ「Ｂさん」に対して返信する際に、ユーザ「Ａさん」と端末装置２Ａのユーザとのやり取りを返信メッセージに含めることができる。このように、本発明の通信アプリケーションプログラムをインストールしている端末装置２Ａをハブとして用いることにより、異なるアプリケーション間でのメッセージのやり取りが可能となる。
【００３７】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００３８】
＜変形例１＞
上述した実施形態では、テキストメッセージのみをやり取りする例について説明したが、画像等の添付ファイルをやり取りするようにしてもよい。あるいは、ボイスメッセージをやり取りするようにしてもよい。
【００３９】
＜変形例２＞
上述した実施形態では、ＡＰＩを用いることにより、本発明の通信アプリケーションプログラムと、他のメッセンジャーアプリケーションや電子メール等との通信を行う構成について説明したが、本発明はこのような構成に限定されるものではない。例えば、他のメッセンジャーアプリケーション等が、プッシュ通知等により、端末本体のメモリに対して書き込みを行う構成になっている場合には、当該メモリを読み取るようにしてもよい。他のメッセンジャーアプリケーション等が利用するメモリを読み取るタイミングとしては、本発明の通信アプリケーションプログラムを立ち上げた時、あるいは、ユーザの操作に応じて本発明の通信アプリケーションプログラムにおけるメッセージ受信の更新処理が行われた時等が挙げられる。
【００４０】
＜変形例３＞
本発明の通信アプリケーションプログラムを利用する際には、ユーザを特定するための個人認証処理を実行するようにしてもよい。例えば、指紋認証、瞳孔認証の他、唾液や血液を利用したDNA認証等により個人認証処理を行うようにしてもよい。また、マイナンバーによって個人認証処理を行うようにしてもよい。個人認証処理を実行するタイミングとしては、本発明の通信アプリケーションプログラムの立ち上げ時、プログラムの更新時、プロフィール等の個人情報の更新時等が挙げられる。
【００４１】
＜変形例４＞
本発明の通信アプリケーションにおいて登録しているユーザ名と、本発明の通信アプリケーションと通信を行う個々のアプリケーションにおいて登録しているユーザ名とが異なる場合が考えられる。このような場合には、本発明の通信アプリケーションを用いて個々のアプリケーションに返信する際に、個々のアプリケーションにおいて登録しているユーザ名を選択できるようにしてもよい。このように構成すれば、アプリケーションによって異なるユーザ名を使用している場合でも、本発明の通信アプリケーションによって一元的に個々のアプリケーションとのメッセージのやり取りを管理することができる。
【符号の説明】
【００４２】
２，２Ａ，２Ｂ，２Ｃ，２Ｄ…端末装置、３，３Ａ，３Ｂ，３Ｃ…外部記憶装置、２１…入力部、２２…通信部、２３…表示部、２４…制御部、２５…記憶部、４０…通信アプリケーションプログラム、４１…電子メールのアプリケーションプログラム、５０，５１，５２，５３，５４，５５…アイコン、５６…名前、５７…メッセージ表示欄、５８…アプリケーション名、５９…メッセージ作成欄、６０…送信ボタン、１００…通信システム、２００…インターフェース部、２０１…メッセージ処理部、２０２…メッセージ作成部、２０３…アプリケーション選択部、ＴＢＬ１…ユーザテーブル、ＴＢＬ２…メッセージテーブル。
【図１】
2017182614.tif 000003
【図２】
2017182614.tif 000004
【図３】
2017182614.tif 000005
【図４】
2017182614.tif 000006
【図５】
2017182614.tif 000007
【図６】
2017182614.tif 000008
【図７】
2017182614.tif 000009
【図８】
2017182614.tif 000010